(57)【要約】    【課題】  上部が開放されている壁体への取付け強度が十分であって、部材等を落下させることなく安全に太陽電池モジュールの壁体への取付け作業及びメインテナンスを遂行できまた、太陽電池パネルの設置角度調整を容易に行うことができる太陽電池モジュールの取付け構造を提供すること。    【解決手段】  上端部が開放されている壁体に、これを挟持する外部支持部材および内部支持部材を配設するとともに、少なくとも前記外部支持部材および内部支持部材の上部において両者を連結するとともに壁体を挟持・緊締する支持部材間隔調整手段を設けさらに、前記支持部材上部連結部上の角度調整プレートに設けられた軸に枢支される支持アームに固設され前記軸を回動中心として壁体の面に垂直な面内で回動自在な太陽電池支持フレームを設けた太陽電池モジュールの取付け構造。【選択図】  図１
2006128573.tif 000002
【特許請求の範囲】
【請求項１】
上端部が開放されている壁体（ｗ）に、これを挟持する外部支持部材（２）および内部支持部材（３）を配設するとともに、少なくとも前記外部支持部材（２）および内部支持部材（３）の上部において両者を連結するとともに壁体（ｗ）を挟持・緊締する支持部材（２）、（３）間隔調整手段を設けさらに、前記支持部材（２）、（３）上部連結部上の角度調整プレート（４）に設けられた軸（６）に枢支される支持アーム（５）に固設され前記軸（６）を回動中心として壁体（ｗ）の面に垂直な面内で回動自在な太陽電池支持フレーム（１）を設けたことを特徴とする太陽電池モジュールの取付け構造。
【請求項２】
上端部が開放されている壁体（ｗ）に、これを挟持する外部支持部材（２）および内部支持部材（３）を配設するとともに、少なくとも前記外部支持部材（２）および内部支持部材（３）の上部において両者を連結するとともに壁体（ｗ）を挟持・緊締する支持部材（２）、（３）間隔調整手段を設けさらに、前記支持部材（２）、（３）上部連結部上の角度調整プレート（４）に設けられた軸（４６）を嵌装する長孔（４１）を太陽電池支持フレーム（１）裏面に設けられたフレーム（４３）に穿設して、太陽電池支持フレーム（１）を軸（４６）を中心として回動自在かつ軸（４６）に対して摺動自在としたことを特徴とする太陽電池モジュールの取付け構造。
【請求項３】
上端部が開放されている壁体（ｗ）に、これを挟持する外部支持部材（２）および内部支持部材（３）を配設するとともに、少なくとも前記外部支持部材（２）および内部支持部材（３）の上部において両者を連結するとともに壁体（ｗ）を挟持・緊締する支持架台（２）、（３）間隔調整手段を設けさらに、太陽電池支持フレームを上部太陽電池支持フレーム（５１−１）および下部太陽電池支持フレーム（５１−２）に分割し、下部太陽電池支持フレーム（５１−２）を外側支持部材（２）に固設し、上部太陽電池支持フレーム（５１−１）を、角度調整プレート（５４）に設けられた軸（５６）に枢支せしめて軸（５６）を回動中心として壁体（ｗ）の面に垂直な面内で回動自在に構成して、上部太陽電池支持フレーム（５１−１）を逆方向に回動させて下部太陽電池支持フレーム（５１−２）と一体化させた後、太陽電池モジュールを下部太陽電池支持フレーム（５１−２）方向にスライドさせ嵌装・装着するよう構成してなる太陽電池モジュールの取付け構造。
【発明の詳細な説明】
【技術分野】
【０００１】
本発明は、太陽電池モジュールを、たとえばベランダにおける柵や腰壁といった上部が開放されている壁体に固定するための、太陽電池モジュールの取付け構造に関する。
【背景技術】
【０００２】
太陽電池は、太陽エネルギを電気エネルギに変換する装置である。太陽光発電システムは、商用電源への接続を行い電力の授受をする連系システムと、商用電源に接続することなく、発生した電力をバッテリーに蓄え目的とする負荷の稼動に用いる独立型システムとに大別される。
【０００３】
屋根上や地面上等の設置場所が確保できる場合や家庭の消費電力量に匹敵する出力を得る場合または商業的な売電目的である場合は、連系システムを採ることが多い。一方、集合住宅等において、太陽電池設置のために大きなスペースを確保できない場合や使用する電力量が小さなものに限られる場合は、独立型システムが用いられる。
【０００４】
独立型システムを採る場合、日光を十分に受けることができるベランダやバルコニーが好適な設置場所となる。ベランダやバルコニーに厳密な定義はないが、屋根付きのものをベランダと呼び屋根なしのものをバルコニーと称することが多い。本発明の開示においては、両者および類似するスペースをベランダと称する。ベランダを区画する柵に太陽電池モジュールを取付ける場合、従来、図１７に示すように、アングルを組んでこのアングルを柵の縦格子１２１に金具等で固定し、アングルの縦材上端と横材の自由端を斜辺材および柵の笠木１２０の長さ方向に延在する部材で固定して太陽電池取付け架台１２３を構成し、太陽電池モジュールを支持する構造が用いられてきた。
【０００５】
しかしながら、前記従来用いられてきた太陽電池モジュール取付け構造においては、壁体が柵といった金具を用いての固定が容易な場合に限られる。鉄筋コンクリートからなるパラペット構造の腰壁等が太陽電池モジュール設置対象となる場合、腰壁等に複数本のアンカーボルトを打ち込み、このアンカーボルトに太陽電池モジュール取付け用架台を固定する取付け構造となる。柵やパラペット構造の腰壁への太陽電池モジュール取付け用架台の設置や取付け用架台への太陽電池モジュールの装着は、柵やパラペット構造の腰壁のベランダの外側部分で行う必要があり、作業性が劣るのみならず、アパート等の高層階においてはベランダの外側部分における作業はきわめて困難かつ危険を伴う。
【０００６】
このような問題を解決すべく、腰壁等の内外面において各１箇所で接する第一の固定用当接部および第二の固定用当接部を有する支持材を跨座せしめ、腰壁の外部側に太陽電池を位置せしめるとともに、腰壁上部と太陽電池の間の空間上部に空気流通口を設けた太陽電池装置が既知である（たとえば、特許文献１参照）。
【特許文献１】特開００２−１１１０３３号公報
【発明の開示】
【発明が解決しようとする課題】
【０００７】
しかしながら、上記特許文献１に開示されている技術においては、支持材と腰壁が当接する部分が腰壁の内外面において各１箇所と少ないことまた、支持材の腰壁上部の部位を太陽電池モジュールの固定に用いていないことにより、強風その他の要因による力が加わる際に、柵や腰壁への太陽電池モジュールの固定強度が不足する可能性がある。
【０００８】
また、支持材と太陽電池モジュールは一体化した後に柵や腰壁に固定されるので、重量物を持ち上げての作業が必要となり作業性が悪いのみならず部材の落下事故を招く虞がある。これは、高層階での作業のときに特に問題である。また、太陽電池パネルの角度調節ができないか或は支持材を太陽電池モジュールごと柵或は腰壁から取外し、これら壁体の内側に仮置きしての作業が必要であり作業性に問題がある。さらに、清掃など太陽電池のメインテナンスを行う場合も同様に支持材を太陽電池モジュールごと柵或は腰壁から取外しての作業となり、作業性が悪い。
【０００９】
本発明は、太陽電池モジュール設置対象が柵であっても鉄筋コンクリート等からなるパラペット構造の腰壁であっても簡単に取付けができるとともに、太陽電池モジュールの、上部が開放されている壁体への取付け強度が十分であって安全性を確保できまた、部材等を落下させることなく安全に太陽電池モジュールの壁体への取付け作業およびメインテナンスを容易に遂行できさらに、太陽電池パネルの設置角度調整を容易に行うことができる太陽電池モジュールの取付け構造を提供することを目的とする。
【課題を解決するための手段】
【００１０】
上記課題を解決するための請求項１に記載の発明は、上端部が開放されている壁体ｗに、これを挟持する外部支持部材２および内部支持部材３を配設するとともに、少なくとも前記外部支持部材２および内部支持部材３の上部において両者を連結するとともに壁体ｗを挟持・緊締する支持部材２、３間隔調整手段を設けさらに、前記支持部材２、３上部連結部上の角度調整プレート４に設けられた軸６に枢支される支持アーム５に固設され前記軸６を回動中心として壁体ｗの面に垂直な面内で回動自在な太陽電池支持フレーム１を設けたことを特徴とする太陽電池モジュールの取付け構造である。
【００１１】
請求項２に記載の発明は、上端部が開放されている壁体ｗに、これを挟持する外部支持部材２および内部支持部材３を配設するとともに、少なくとも前記外部支持部材２および内部支持部材３の上部において両者を連結するとともに壁体ｗを挟持・緊締する支持部材２、３間隔調整手段を設けさらに、前記支持部材２、３上部連結部上の角度調整プレート４に設けられた軸４６を嵌装する長孔４１を太陽電池支持フレーム１裏面に設けられたフレーム４３に穿設して、太陽電池支持フレーム１を軸４６を中心として回動自在かつ軸４６に対して摺動自在とした太陽電池モジュールの取付け構造である。
【００１２】
請求項３に記載の発明は、上端部が開放されている壁体ｗに、これを挟持する外部支持部材２および内部支持部材３を配設するとともに、少なくとも前記外部支持部材２および内部支持部材３の上部において両者を連結するとともに壁体ｗを挟持・緊締する支持架台２、３間隔調整手段を設けさらに、太陽電池支持フレームを上部太陽電池支持フレーム５１−１および下部太陽電池支持フレーム５１−２に分割し、下部太陽電池支持フレーム５１−２を外側支持部材２に固設し、上部太陽電池支持フレーム５１−１を、角度調整プレート５４に設けられた軸５６に枢支せしめて軸５６を回動中心として壁体ｗの面に垂直な面内で回動自在に構成して、上部太陽電池支持フレーム５１−１を逆方向に回動させて下部太陽電池支持フレーム５１−２と一体化させた後、太陽電池モジュールを下部太陽電池支持フレーム５１−２方向にスライドさせ嵌装・装着するよう構成してなる太陽電池モジュールの取付け構造である。
【発明の効果】
【００１３】
本発明によれば、太陽電池モジュールを上部開放の壁体に取付けるに際し、太陽電池支持フレームを壁体の内部側の内部支持部材に仮固定して安全かつ簡単に作業を行うことができるとともに、部材等を高層階から落下せしめることもない。また、太陽電池パネルを使用状態に固定するに際し、発電効率、風の影響、意匠面を考慮した取付け角度を容易に選択することができる。さらに、取付け角度の再調整や太陽電池のメインテナンスも容易に行える効果を奏する。
【発明を実施するための最良の形態】
【００１４】
以下、本発明をその好ましい実施形態に則して説明する。本発明の太陽電池モジュールの取付け構造は、ベランダにおける柵、腰壁等上部が開放されている壁体の内外両面を挟持・固定すべく機能する外部支持部材および内部支持部材ならびにこれら支持部材を少なくともその上部で連結する手段を有するとともに、外部支持部材および内部支持部材の何れか一方の上部に固設される角度調整プレートに固設される軸に回動自在に嵌装される、太陽電池支持フレームに一体的に形成される支持アームに穿設されている孔を角度調整プレートに穿設されている複数の角度調整用ボルト孔の何れかに合致させてボルト・ナットで固定することによって、太陽電池支持フレームを離散的に角度変更できるよう構成されている。
【００１５】
本発明においては、上部が開放されている壁体の厚さに応じて外部支持材および内部支持材の対間隔を、少なくともその上下部において調節可能に構成されている。
【００１６】
本発明においてはまた、角度調整プレートに固設されている軸を回動中心として、太陽電池支持フレームを、上部が開放されている壁体の面に垂直な面内で回動自在に構成されている。この構成によって、太陽電池支持フレームを軸を中心として回動させて上部が開放されている壁体の内側に太陽電池支持フレームを立てて仮固定し、その状態で太陽電池モジュールの取付け、取外しおよび清掃等メインテナンスを安全かつ良好な作業性の下で部材等を高層階から落下させる危険もなく遂行可能となる。これら作業の終了後、軸を中心として太陽電池支持フレームを反転回動させ発電・稼動状態とした後固定する。
【００１７】
また、本発明の別の実施形態においては、太陽電池支持フレームの背面に固設されているフレームに穿設されている太陽電池支持フレーム長さ方向に延在する長孔に、角度調整プレートに固設されている軸を嵌装して、太陽電池支持フレームを軸を回動中心として回動自在かつ軸に対して摺動自在とし、前記長孔を軸に拘束案内させて太陽電池支持フレームを引き上げ壁体上に水平に位置させ、太陽電池モジュールの取付け、取外しおよび清掃等メインテナンスを安全かつ良好な作業性の下で部材等を高層階から落下させる危険もなく遂行可能に構成している。
【００１８】
さらに本発明の別の実施形態においては、太陽電池支持フレームを上下に２分割して下部太陽電池支持フレームを外部支持部材に固定しておき、上部太陽電池支持フレームのみを角度調整プレートに固設されている軸を回動中心として回動自在に構成されている。下部太陽電池支持フレームは、外部支持部材との間の連結部材である下部スペーサを長さの異なるものに取り替えることによって、離散的に外部支持部材との間隔を変更できる。
【００１９】
この実施例において、太陽電池モジュールを取付けるに際しては、上部太陽電池支持フレームを回動させて内外支持部材上部連結部上に水平状態に仮置きし、仮止めボルトによって太陽電池モジュールを上部太陽電池支持フレームに仮固定した後、上部太陽電池支持フレームを逆方向に回動させて設置角度に固定し、太陽電池モジュールの仮止めボルトを緩めて太陽電池モジュールを下部太陽電池支持フレーム内に流し込んだ後固定する。
【実施例１】
【００２０】
図１乃至図７に、本発明の一実施例に係る太陽電池モジュールの取付け構造を示す。図１は側面図、図２は壁体外側から見た正面図、図３は、本発明の太陽電池モジュールの取付け構造を、鉄筋コンクリート製腰壁等パラペット構造の壁体に装着したときの状態を示す側面図、図４は、外部支持部材、内部支持部材、外側下部スペーサ、内側下部スペーサ、およびクッション材の分解斜視図、図５は太陽電池支持フレームおよび支持アーム、下部スペーサの取付け状態を示す斜視図、図６は、軸を回動中心として太陽電池支持フレームを回動させ、壁体内側に直立させた状態を示す斜視図、図７は、外部支持部材、内部支持部材の上部対間隔調整手段を示す縦断面図である。
【００２１】
図１乃至図７において、１は太陽電池支持フレームであって、図６に示す太陽電池モジュール２６が装着される。２は外部支持部材、３は内部支持部材であり、図１および図３に示すように、上端部が開放されている壁体ｗを両面から挟持すべく機能する。外部支持部材２および内部支持部材３は、この実施例においては、金属製中空角材からなり、図４に示すように、外部支持部材２の中空部に内部支持部材３の外殻部が嵌装され、図４でみて左右方向に変位自在である。外部支持部材２の水平部分には、支持部材間隔調整用長孔１３が穿設され、外部支持部材２および内部支持部材３間の所定間隔の嵌装量となったときに、ボルトを長孔１３および支持部材間隔調整ボルト孔１４’を貫通させナットで緊締することによって外部支持部材２および内部支持部材３間の間隔を固定する。この実施例おいては、支持部位２、３間隔調整手段はこのように構成される。
【００２２】
４は角度調整プレートであって、図１および図２に示すように、外部支持部材２および内部支持部材３の上部に固設され、面の中央部に軸６が固設される。また、角度調整プレート４には、図１でみて左側周縁部に角度調整ボルト孔が複数箇穿設される。さらに、角度調整プレート４には、図１でみて右方にメインテナンス用ボルト孔８が穿設される。５は支持アームであり、図１および図５に示すように、太陽電池支持フレーム１の上方に一体的に形成され、軸６に枢支される孔６’および角度調整ボルト７が挿通される角度調整ボルト孔７’が穿設される。
【００２３】
１０は外側下部スペーサ、１１は内側下部スペーサであって、図１、図２、および図４に示すように、それぞれ外部支持部材２および内部支持部材３の下部に穿設されている外側下部スペーサ挿通孔１０’および内側下部スペーサ挿通孔１１’に嵌装され、外側下部スペーサ１０および内側下部スペーサ１１に複数箇穿設されている下部スペーサ調整用ボルト孔１６の所定の孔に下部スペーサ調整用ボルト１５を挿通、緊締することによって離散的に壁体ｗと外部支持部材２および内部支持部材３との間の間隔を設定・変更できる。図１，図３および図４において、１２および１８はクッション材、１７は壁体ｗの面、２０は柵等の笠木である。
【００２４】
２５は太陽電池支持フレーム下部スペーサであり、図１および図５に示すように、太陽電池支持フレーム１下部に一体的に形成される。２２は長孔であって、この実施例においては、図２に示すように、外側下部スペーサ１０に穿設され、壁体が柵である場合に、縦格子２１間においてボルト・ナットによって外側下部スペーサ１０および内側下部スペーサ１１を緊締する。１９はハンドルであり、図５に示すように、太陽電池支持フレーム１の頂部に固設され、これを人手で把持することによって太陽電池支持フレーム１を変位、回動させる。
【００２５】
次に、実施例１に係る本発明の太陽電池モジュールの取付け構造の動作を説明する。太陽電池支持フレーム１を壁体ｗの内側に位置せしめようとするときは、角度調整ボルト７を取外しハンドル１９を把持して太陽電池支持フレーム１を、軸６を回動中心として回動させて図６に示す状態とする。この状態で、図１に示す角度調整プレート４におけるメインテナンス用ボルト孔８と太陽電池支持フレーム１の支持アーム５における角度調整ボルト孔７’を合致させた後、ボルトを挿通、緊締することによって太陽電池支持フレーム１を直立させる。
【００２６】
然る後、太陽電池モジュール２６を装着したり、太陽電池モジュールの清掃等のメインテナンスを行った後、ボルトを支持アーム５における角度調整ボルト孔７’およびメインテナンス用ボルト孔８から抜き取り、ハンドル１９を把持して太陽電池支持フレーム１を逆方向に回動させて太陽電池パネルが所定の角度となる位置で、支持アーム５における角度調整ボルト孔７’と角度調整プレート４における角度調整用ボルト孔９とを合致させ、角度調整用ボルト７を挿通、緊締する。
【実施例２】
【００２７】
外部支持部材２および内部支持部材３間の間隔調整の他の実施例を説明する。図７に示すように、外部支持部材２の開口端部に部材を固着して雌ねじ３０を螺設し、この雌ねじ３０に支持部材間隔調整ボルト２７を螺合させる。支持部材間隔調整ボルト２７は内部支持部材３に挿通されており、支持部材間隔調整ボルトストッパ２９で軸方向位置を規制される。
【実施例３】
【００２８】
図８および図９に、他の実施例に係る太陽電池モジュールの取付け構造を示す。この実施例においては、図８および図９に示すように、太陽電池支持フレーム１の背面にフレーム４３が固設されており、このフレーム４３に長孔４１が穿設されている。この長孔４１に、角度調整パネル４に固設される軸４６が嵌装される。一方、太陽電池支持フレーム１の下端部と外部支持部材２間に、伸縮自在なテレスコーピック軸４５が配設され、両端はヒンジ結合されている。４２は固定用雌ねじである。
【００２９】
角度調整プレート４には、図８に示すように、角度調整用ボルト孔４９が複数箇穿設され、フレーム４３の長孔４１以外の箇所に穿設されている孔と合致させて角度調整用ボルト４７を挿通、緊締し、太陽電池支持フレーム１の角度調整を行う。
【００３０】
次に、この実施例に係る太陽電池モジュールの取付け構造の動作を説明すると、角度調整用ボルト４７を取外し、ハンドル１９を把持して壁体ｗの内側に引き寄せると、長孔４１が軸４６に拘束・案内されて回動するとともに摺動変位し、図９に示すように、水平姿勢となる。この状態で、角度調整用ボルト孔４９と固定用雌ねじ４２を合致させ、ボルトを挿通、緊締し、太陽電池支持フレーム１を仮固定し、太陽電池モジュール２６の清掃等メインテナンスを行う。然る後、角度調整用ボルト孔４９と固定用雌ねじ孔４２を挿通、緊締しているボルトを取外し、ハンドル１９を把持して太陽電池支持フレーム１を逆方向に回動・摺動させて所定の角度となった所で角度調整プレート４における角度調整ボルト孔４９とフレーム４３における孔とを合致させ、角度調整用ボルト４６を挿通、緊締する。太陽電池支持フレーム１の下部を外部支持部材２によって支持する手段として、このほかワイヤを用いて壁体ｗの内側に引張る方法や接着剤を用いる方法、スペーサの代りにテレスコーピック軸を用いる方法または、外部支持部材に孔を穿設しフックを用いて固定する方法等種々の手段を採用し得る。
【実施例４】
【００３１】
図１０および図１１に、さらに他の実施例に係る本発明の太陽電池モジュールの取付け構造を示す。この実施例においては、太陽電池モジュール２６は、図１０に示すように、両端部が内部に開いたコ字状を呈する太陽電池支持フレーム１内に嵌装され装着される。
【００３２】
この実施例においては、図１１に示すように、外部支持部材２にヒンジ結合される太陽電池支持フレーム下部スペーサ７５の他端に固設される軸７６が太陽電池支持フレーム１の背面に形成されているフレーム７３に穿設された長孔７１に嵌装され、長孔７１の変位・回動を拘束、案内する。而して、太陽電池モジュール２６は、太陽電池支持フレーム１の上方から流し込まれ、装着される。
【実施例５】
【００３３】
図１２および図１３に、他の実施例に係る本発明の太陽電池モジュールの取付け構造を示す。この実施例においては、図１２に示すように、太陽電池支持フレームが、上部太陽電池支持フレーム５１−１および下部太陽電池支持フレーム５１−２に２分割される。下部太陽電池支持フレーム５１−２は下部スペーサ５５によって外部支持部材２に固定され、下部太陽電池支持フレーム５１−２の角度を変更するに際しては、この実施例においては、下部スペーサ５５を交換することによってなされる。
【００３４】
上部太陽電池支持フレーム５１−１は、角度調整プレート５４に設けられている軸５６に枢支せしめられ軸５６を回動中心として壁体ｗの面に垂直な面内で回動自在に構成されている。そして、図１２に示す状態で、太陽電池モジュール２６を嵌装した後、上部太陽電池支持フレーム５１−１を、軸５６を回動中心として逆方向に回動させて下部太陽電池支持フレーム５１−２と一体化させた後、図１３に示すように、太陽電池モジュール２６を下部太陽電池支持フレーム５１−２方向にスライドさせ、嵌装・装着する。
【実施例６】
【００３５】
図１４および図１５に、他の実施例に係る本発明の太陽電池モジュールの取付け構造を示す。この実施例においては、外部支持部材２の内部に支持片６２を設けるとともに、下部に矩形状の孔６３を穿設して下部スペーサ２５の端部に形成される支持片６１を出し入れ自在に構成される。そして、外部支持部材２にボルト６３を挿通し、図１５に示すように、外部支持部材２に支持片６１を嵌合し、ボルト６３を支持片６２に螺合させるとともに支持片６１に挿通させてスペーサ２５を強固に固定する。
【実施例７】
【００３６】
図１６に、他の実施例に係る本発明の太陽電池モジュールの取付け構造を示す。この実施例は、太陽電池支持フレーム１が通常の使用状態である、たとえば水平線に対して６０°の角度で設置されている場合および台風時のような強風下で太陽電池支持フレーム１を鉛直姿勢として外部支持部材２に並置させ破損を防止しようとする場合に角度を変更して係止するよう構成されている。
【００３７】
フック８２およびフック８３は、それぞれステムの頭部に径大部を有する形状をもち、下部スペーサ８５に固設されている。太陽電池支持フレーム１の両側部にはＡ−Ａ断面図に示すように、断面Ｃ字状のチャンネル８１が固着されており、このチャンネル８１にフック８２，８３の頭部が嵌装され、太陽電池支持フレーム１を強固に保持する。
【００３８】
太陽電池支持フレーム１を使用状態における角度（６０°）から外部支持部材２に並置する鉛直姿勢（９０°）とするときは、角度調整用プレート４における結合を外し、図１６に示す太陽電池支持フレーム１を上部に引き上げると、その下端部においてフック８２との係合が外れる。然る後、太陽電池支持フレーム１をさらに上部に引き上げ鉛直姿勢として降下せしめると、両側のチャンネル８１がフック８３の頭部に嵌装・係合され、太陽電池支持フレーム１は外部支持部材２に並置された状態となる。
【００３９】
本発明は、上記実施例に限定されるものではなく、外部支持部材２および内部支持部材３はステンレス鋼、アルミニウムや防錆処理を施した鋼材など、設置箇所や天候、周囲環境に応じて適宜選択することができる。また、太陽電池は金属フレームを有するものに限ることなく、ガラスを張り合わせ太陽電池セルを封入した構造や有機材料によるもの、また、シート状の太陽電池でも構わない。また、太陽電池の種類（単結晶シリコン、多結晶シリコン、化合物系、アモルファス系、有機材料によるもの）も対象とし得る。
【産業上の利用可能性】
【００４０】
本発明は、太陽電池支持フレームに相当する部分に、太陽電池に限らず太陽熱温水器の集熱器や光を利用する化学反応装置等を装着することができる。また、太陽電池支持フレームに相当する部分に、発電システムに関する機器たとえば充電コントローラ、バッテリー、インバータ等を取付け得る。本発明の太陽電池モジュールの取付け構造は、主として小出力の太陽光発電システムにおいて、充電コントローラ、バッテリー、インバータおよび負荷により構成される発電システムへ好適に用いられ得る。このシステムは、小出力の太陽光発電システムのみならず、連系システム等より大型の機器への応用も可能である。
【図面の簡単な説明】
【００４１】
【図１】本発明の一実施例に係る太陽電池モジュールの取付け構造の側面図
【図２】本発明の一実施例に係る太陽電池モジュールの取付け構造を壁体外側から見た正面図
【図３】本発明の一実施例に係る太陽電池モジュールの取付け構造を腰壁等に装着した状態を示す側面図
【図４】本発明の一実施例に係る太陽電池モジュールの取付け構造の外部支持部材等の分解斜視図
【図５】本発明の一実施例に係る太陽電池モジュールの取付け構造の支持アーム、下部スペーサの取付け状態を示す斜視図
【図６】本発明の一実施例に係る太陽電池モジュールの取付け構造において、太陽電池支持フレームを壁体内側に直立させた状態を示す斜視図
【図７】本発明の一実施例に係る太陽電池モジュールの取付け構造の内外部支持部材の上部間隔調整手段を示す縦断面図
【図８】本発明の他の実施例に係る太陽電池モジュールの取付け構造の側面図
【図９】本発明の他の実施例に係る太陽電池モジュールの取付け構造において、太陽電池支持フレームを壁体上部に引き上げ水平姿勢とした状態を示す側面図
【図１０】本発明のさらに他の実施例に係る太陽電池モジュールの取付け構造において、太陽電池支持フレームに太陽電池モジュールを嵌装する状態を示す斜視図
【図１１】本発明のさらに他の実施例に係る太陽電池モジュールの取付け構造の斜視図
【図１２】本発明の他の実施例に係る太陽電池モジュールの取付け構造の側面図
【図１３】本発明の他の実施例に係る太陽電池モジュールの取付け構造において、分割太陽電池支持フレームを一体化させた状態を示す側面図
【図１４】本発明のさらに他の実施例に係る太陽電池モジュールの取付け構造における下部スペーサと外部支持部材の結合構造を示す縦断面図
【図１５】本発明のさらに他の実施例に係る太陽電池モジュールの取付け構造における下部スペーサと外部支持部材の結合状態を示す縦断面図
【図１６】本発明の他の実施例に係る太陽電池モジュールの取付け構造における太陽電池支持フレームと外部支持部材の結合状態を示す縦断面図
【図１７】従来の太陽電池モジュールの取付け構造を示す斜視図
【符号の説明】
【００４２】
１  太陽電池支持フレーム
２  外部支持部材
３  内部支持部材
４  角度調整プレート
５  支持アーム
６  軸
６’  軸に枢支される孔
７  角度調整ボルト
７’  角度調整ボルト孔
８  メインテナンス用ボルト孔
９  角度調整用ボルト孔
１０  外側下部スペーサ
１０’  外側下部スペーサの挿通孔
１１  内側下部スペーサ
１１’  内側下部スペーサの挿通孔
１２  クッション材
１３  内外支持部材間隔調整用長孔
１４  内外支持部材間隔調整用ボルト
１４’  内外支持部材間隔調整用ボルト孔
１５  下部スペーサ調整用ボルト
１６  下部スペーサ調整用ボルト孔
１７  壁体の面
１８  上部クッション材
１９  ハンドル
２０  柵の笠木
２１  柵の縦格子
２２  長孔
２５  太陽電池支持フレーム下部スペーサ
２６  太陽電池モジュール
２７  内外支持部材間隔調整ボルト
２８  内外支持部材間隔調整ボルト孔
２９  内外支持部材間隔調整ボルト内部ストッパ
３０  受け雌ねじ
４１  長孔
４２  固定用雌ねじ孔
４３  フレーム
４５  テレスコーピック軸
４６  軸
４７  角度調整用ボルト
４８  角度調整用雌ねじ
４９  角度調整用ボルト孔
５１−１  上部太陽電池支持フレーム
５１−２  下部太陽電池支持フレーム
５４  角度調整プレート
５５  太陽電池支持フレーム下部スペーサ
５６  軸
５７  角度調整用ボルト
５８  太陽電池支持フレーム仮止め用ボルト孔
５９  角度調整用ボルト
６０  太陽電池支持フレーム仮止め用ボルト
６１  支持片
６２  支持片
６３  ボルト
７１  長孔
７３  フレーム
７５  太陽電池支持フレーム下部スペーサ
８１  チャンネル
８２  フック
８３  フック
８５  太陽電池支持フレーム下部スペーサ
８６  太陽電池支持フレーム固定用ボルト孔
８７  太陽電池支持フレーム固定用ボルト
１２０  柵の笠木
１２１  縦格子
１２３  太陽電池取付け架台
ｗ  上部開放の壁体
【図１】
2006128573.tif 000003
【図２】
2006128573.tif 000004
【図３】
2006128573.tif 000005
【図４】
2006128573.tif 000006
【図５】
2006128573.tif 000007
【図６】
2006128573.tif 000008
【図７】
2006128573.tif 000009
【図８】
2006128573.tif 000010
【図９】
2006128573.tif 000011
【図１０】
2006128573.tif 000012
【図１１】
2006128573.tif 000013
【図１２】
2006128573.tif 000014
【図１３】
2006128573.tif 000015
【図１４】
2006128573.tif 000016
【図１５】
2006128573.tif 000017
【図１６】
2006128573.tif 000018
【図１７】
2006128573.tif 000019